(57)【特許請求の範囲】
【請求項１】
名札類（Ｎｐ）を出し入れ自在に収容する名札類収容部（４）と、前記名札類収容部（４）の上方部（５）に設けたフック部材取付部（６）とを有する軟質プラスチック製のケース本体（２）と、
前記フック部材取付部（６）を両面から挟み込む第１片（１１）および第２片（１２）と、前記第１片（１１）および前記第２片（１２）のそれぞれに設けられ、前記フック部材取付部（６）を挟み込んだときに整合するクリップ（Ｃ）取付用のフック穴（１３）とを有し、前記フック部材取付部（６）に対して着脱自在に取り付けられるフック部材（３）と、
前記フック部材（３）を前記フック部材取付部（６）に取り付けてロックする取付連結手段（１０）と、を備えた名札類吊下用ケース組立体（１）であって、
前記取付連結手段（１０）は、前記フック部材取付部（６）に設けられた複数の位置決め開口（１５）と、前記位置決め開口（１５）に対応して前記第１片（１１）に設けられた複数のボス（１６）と、前記ボス（１６）に対応して前記第２片（１２）に設けられた複数のボス嵌入孔（１７）とを有し、前記ボス（１６）を前記位置決め開口（１５）および前記ボス嵌入孔（１７）に挿入して前記第１片（１１）および前記第２片（１２）で前記フック部材取付部（６）を挟み込むことで、前記フック部材（３）を前記フック部材取付部（６）に取り付けてロックするものであり、
前記フック部材取付部（６）の上端にはコ字状の凹部（１８）が設けられ、前記複数の位置決め開口（１５）が、前記凹部（１８）の各辺（１９）に沿って前記凹部（１８）の周囲全体に渡って設けられることを特徴とする名札類吊下用ケース組立体。
【請求項２】
前記ケース本体（２）が、オレフィン系のポリプロピレン単層、あるいは、オレフィン系のポリプロピレンとエチレン−酢酸ビニル共重合体とを張り合わせたシート材でなり、前記フック部材（３）が、ポリプロピレンあるいはポリカーボネートの硬質プラスチックでなることを特徴とする請求項１に記載の名札類吊下用ケース組立体。
【請求項３】
前記フック部材（３）は、前記第１片（１１Ａ）と前記第２片（１２Ａ）が中央折り畳み部（９）を介して折り畳み可能な折り畳み型フック部材（３Ａ）であることを特徴とする請求項１あるいは請求項２に記載の名札類吊下用ケース組立体。
【請求項４】
前記フック部材（３）は、前記第１片（１１Ｂ）と前記第２片（１２Ｂ）とが互いに分離した分離型フック部材（３Ｂ）であることを特徴とする請求項１あるいは請求項２に記載の名札類吊下用ケース組立体。
【請求項５】
前記フック部材（３）を前記フック部材取付部（６）に取り付けたときに、前記第１片（１１）および前記第２片（１２）の前記フック穴（１３）が、前記凹部（１８）の内側に配置されることを特徴とする請求項１から請求項４のいずれか１項に記載の名札類吊下用ケース組立体。
【発明の詳細な説明】
【技術分野】
【０００１】
この発明は、各種職場あるいは各種イベント会場などで使用する名札、社員証、入退出用ＩＣカードなどを収容して、首から吊り下げて携帯するための名札類吊下用ケースにかかるものであって、特に、各部分の機能性を重視して別素材による構成部材を組み合わせてなる名札類吊下用ケース組立体に関するものである。
【背景技術】
【０００２】
周知のように、従来、各種職場あるいは各種イベント会場などでは、自己を表示し、場合によってはセキュリテーをも目的とする吊下げ携帯式の名札類吊下用ケースが多用されている。この名札類吊下用ケースは、特許文献１および２に記載されているように、上縁にフック穴を備えた名札類吊下用ケース本体と、一端にクリップを備えた吊下げストラップとによって構成されており、吊下げストラップの一端に設けてあるクリップを名札類吊下用ケース本体におけるフック穴に着脱自在に掛け止めて使用する構成のものである。前記吊下げストラップにかえて、紐をリールに巻き付けて伸縮自在にしたリール式のものもある。
【０００３】
上記する特許文献１には、軟質プラスチック製のソフトケースによる名札ケース１０が開示されている。この特許文献１に開示の軟質プラスチック製名札ケース１０は、該名札ケース１０に予期せぬ外力が加わった場合、保持用穴１０Ａ（フック穴）の上側縁部がちぎれてしまい、名札ケース自体を紛失してしまうという問題を有していた。
【０００４】
一方、これに対して、特許文献２のものには、硬質プラスチック製のハードケースによる名札などのホルダー１０が開示されている。この特許文献２に開示の硬質プラスチック製の名札用ホルダーは、フック穴の上側縁部がちぎれてしまう恐れはないが、その反面、重量がかさみ、肌触りが悪く、危険性が高いなどの問題点を有し、さらに、コスト高であるという欠点を有していた。
【０００５】
従来の軟質プラスチック製の典型的な名札類吊下用ケースの例を図５に示す。この図に示すように、当該名札類吊下用ケース２１は、名札類を出し入れ自在に収容する名札類収容部２５と、その上方部に設けたフック穴２６とを有している。この名札類吊下用ケース２１におけるフック穴２６に、吊下げストラップ２７の一端に設けてあるクリップ２８を掛け止めて、図５Ｂに示すようにして首に吊下げて使用する。この場合、名札類吊下用ケース２１に予期せぬ外力が加わった場合、図５Ｄに示すように脆弱なフック穴の上側縁部がちぎれてしまうというものであった。
【０００６】
【特許文献１】特開２００６−３２２５７７号公報（要約、図１、図２）
【特許文献２】特開平１１−９５６６２号公報（要約、図１）
【発明の開示】
【発明が解決しようとする課題】
【０００７】
そこで、この発明は、上記する従来の技術にみられる問題点並びに欠点を解消しようとするものであり、名札類吊下用ケースを、軟質プラスチック製のケース本体と、硬質プラスチック製のフック部材との組み合わせによって構成し、それによって、フック穴部分の強度化を図るとともに、比較的軽量で、肌触り性の向上を図り、且つ、低コスト化を図ってなる名札類吊下用ケース組立体を提供するものである。
【課題を解決するための手段】
【０００８】
上記目的を達成するにあたって、請求項１に記載の発明は、名札類を出し入れ自在に収容する名札類収容部と、前記名札類収容部の上方部に設けたフック部材取付部とを有する軟質プラスチック製のケース本体と、
前記フック部材取付部を両面から挟み込む第１片および第２片と、前記第１片および前記第２片のそれぞれに設けられ、前記フック部材取付部を挟み込んだときに整合するクリップ取付用のフック穴とを有し、前記フック部材取付部に対して着脱自在に取り付けられるフック部材と、
前記フック部材を前記フック取付部材に取り付けてロックする取付連結手段と、を備えた名札類吊下用ケース組立体であって、
前記取付連結手段は、前記フック部材取付部に設けられた複数の位置決め開口と、前記位置決め開口に対応して前記第１片に設けられた複数のボスと、前記ボスに対応して前記第２片に設けられた複数のボス嵌入孔とを有し、前記ボスを前記位置決め開口および前記ボス嵌入孔に挿入して前記第１片および前記第２片で前記フック部材取付部を挟み込むことで、前記フック部材を前記フック部材取付部に取り付けてロックするものであり、
前記フック部材取付部の上端にはコ字状の凹部が設けられ、前記複数の位置決め開口が、前記凹部の各辺に沿って前記凹部の周囲全体に渡って設けられることを特徴とするものである。
【０００９】
さらに、請求項２に記載の発明は、前記ケース本体が、オレフィン系のポリプロピレン単層、あるいは、オレフィン系のポリプロピレンとエチレン−酢酸ビニル共重合体とを張り合わせたシート材でなり、前記フック部材が、ポリプロピレンあるいはポリカーボネートの硬質プラスチックでなることを特徴とするものである。
【００１０】
さらに、請求項３に記載の発明は、前記フック部材は、前記第１片と前記第２片が中央折り畳み部を介して折り畳み可能な折り畳み型フック部材であることを特徴とするものである。
【００１１】
さらに、請求項４に記載の発明は、前記第１片と前記第２片とが互いに分離した分離型フック部材であることを特徴とするものである。
【００１２】
さらに、請求項５に記載の発明は、前記フック部材を前記フック部材取付部に取り付けたときに、前記第１片および前記第２片の前記フック穴が、前記凹部の内側に配置されることを特徴とするものである。
【発明の効果】
【００１３】
以上の構成において、この発明になる名札類吊下用ケース組立体によれば、当該名札類吊下用ケースを、軟質プラスチック製のケース本体と、硬質プラスチック製のフック部材との組み合わせによって構成したことにより、フック穴部分の強度化を図り、予期せぬ外力が加わってもクック穴部分がちぎれることがなく、名札類吊下用ケースの紛失を防止することができる。加えて、ケース本体がソフトケースにより構成されているので、比較的軽量であり、肌触り性もよく、且つ、低コストで提供し得るという作用効果を奏するものである。
【発明を実施するための最良の形態】
【００１４】
以下、この発明になる名札類吊下用ケース組立体について、図面に示す具体的な実施例にもとづいて詳細に説明する。図１は、この発明になる名札類吊下用ケース組立体の具体的な実施例であって、組立状態を示すものであり、図１Ａは、ストラップを取り付けた状態を示す概略的な正面図、図１Ｂは、概略的な側面図、図１Ｃは、その概略的な背面図である。
【００１５】
図２は、この発明になる名札類吊下用ケース組立体におけるケース本体の一例を示すものであって、図２Ａは、その概略的な正面図、図２Ｂは、その概略的な側面図、図２Ｃは、その概略的な背面図である。
【００１６】
図３は、この発明になる名札類吊下用ケース組立体における折りたたみ式フック部材の一例を開いた状態で示すものであって、図３Ａは、その概略的な正面図、図３Ｂは、その概略的な側面図、図３Ｃは、その概略的な背面図である。
【００１７】
図４は、この発明になる名札類吊下用ケース組立体における分離型フック部材の一例をを示すものであって、ロックする直前の状態を示す概略的な斜視図である。
【００１８】
この発明になる名札類吊下用ケース組立体１は、軟質プラスチック製のケース本体２と、硬質プラスチック製のフック部材３との組み合わせによって構成されている。前記ケース本体２は、軟質プラスチック材でなるものであり、例えば、オレフィン系のポリプロピレンとエチレン−酢酸ビニル共重合体とを張り合わせシート材を原材料とするものであって、該シート材を重ね合わせて周囲をヒートシールして形成するものである。
【００１９】
これに対して、前記フック部材３は、比較的に剛直なプラスチックあるいはポリカーボネートなどの硬質プラスチックによるものである。前記フック部材３は、図３に示すような折り畳み型のフック部材３Ａ、あるいは、図４に示すような分離型のフック部材３Ｂにより構成されるものである。
【００２０】
図３に示す折り畳み型のフック部材３Ａは、折り畳み部９を有するという構造的な点から、比較的に剛直なプラスチック、例えば、ポリプロピレンなどのプラスチック材が適用される。これに対して、図４に示す分離型のフック部材３Ｂは、ポリカーボネートなどの硬質プラスチック材が適用される。勿論、前者の場合においても、折り畳み部９の部分に可撓性のあるプラスチック材を用いることによって、第１片１１Ａおよび第２片１２Ａをポリカーボネートなどの硬質プラスチック材によって構成することもできる。
【００２１】
前記ケース本体２は、図２各図に示すように、名札類Ｎｐを出し入れ自在に収容する名札類収容部４と、前記名札類収容部４の上方部５に設けたフック部材取付部６とを備えたものからなっている。一例になるケース本体２は、透過性のある軟質プラスチック材により形成されており、前記名札類収容部４は、内部に収容した名札類Ｎｐの表示情報を外部から視認することができるようになっている。図２Ｃに示す実施例において、前記ケース本体２は、その背面側に、前記名札類収容部４内に名札類Ｎｐを出し入れするための防水ファスナー７の付いた名札類出し入れ開口８が設けてある。
【００２２】
一方、図３各図に示すように、折り畳み型のフック部材３Ａは、中央折り畳み部９を介して折り畳み可能な第１片１１Ａおよび第２片１２Ａを含むものからなり、前記中央折り畳み部９に沿って折り畳んだ状態において整合するフック穴１３Ａ、１３Ａと、折り畳んだ状態を維持するロック手段１４とを備え、前記ケース本体２におけるフック部材取付部６を両面から挟み込んでロックするものからなっている。
【００２３】
さらに、図４に示すように、分離型のフック部材３Ｂは、分離した第１片１１Ｂおよび第２片１２Ｂを含むものからなり、互いに重ね合わせた状態において整合するフック穴１３Ｂ、１３Ｂと、重ね合わせた状態を維持するロック手段１４とを備え、前記ケース本体２におけるフック部材取付部６を両面から挟み込んでロックするものからなっている。
【００２４】
この発明になる名札類吊下用ケース組立体１は、前記ケース本体２におけるフック部材取付部６と、前記フック部材３との間に設けた取付連結手段１０を含むものからなっている。前記取付連結手段１０は、前記ケース本体２におけるフック部材取付部６に設けた複数個（図に示す実施例において６個）の位置決め開口１５と、前記フック部材３におけるロック手段１４とによって構成されている。
【００２５】
前記ロック手段１４は、前記ケース本体２におけるフック部材取付部６に設けた複数個（図に示す実施例において６個）の位置決め開口１５に対応するように、前記フック部材３における第１片１１の折り畳み内面１１ａ側に設けた複数個（同上、６個）のボス１６と、第２片１２の対応位置に設けた複数個（同上、６個）のボス嵌入孔１７とからなっている。
【００２６】
この発明では、前記ケース本体２と前記フック部材３とが個別に準備され、前記ケース本体２におけるフック部材取付部６に、前記取付連結手段１０を介して、前記フック部材３を取り付け、前記フック部材３を折り畳んで、ロック手段１４によってロックすることにより極めてか簡単に組み立てることができる。
【００２７】
この発明になる名札類吊下用ケース組立体１では、前記ケース本体２における名札類収容部４内に所望の名札類Ｎｐを収容し、前記フック部材３におけるフック穴１３にクリップＣを介してストラップＳｔを取り付けて使用に供するものである。前記ストラップＳｔは、これにかえて、紐をリールに巻き付けて伸縮自在に構成してある、所謂、リール巻出し式のものであってもよい。さらに、この発明では、一端に、前記フック部材３におけるフック穴１３にクリップされるクリップＣを備え、他端に、着用者のポケットにクリップされる別のクリップを備えたタッグ式名札に対しても適用可能である。
【図面の簡単な説明】
【００２８】
【図１】図１は、この発明になる名札類吊下用ケース組立体の具体的な実施例であって、組立状態を示すものであり、図１Ａは、ストラップを取り付けた状態を示す概略的な正面図、図１Ｂは、概略的な側面図、図１Ｃは、その概略的な背面図である。
【図２】図２は、この発明になる名札類吊下用ケース組立体におけるケース本体の一例を示すものであって、図２Ａは、その概略的な正面図、図２Ｂは、その概略的な側面図、図２Ｃは、その概略的な背面図である。
【図３】図３は、この発明になる名札類吊下用ケース組立体における折りたたみ式フック部材の一例を開いた状態で示すものであって、図３Ａは、その概略的な正面図、図３Ｂは、その概略的な側面図、図３Ｃは、その概略的な背面図である。
【図４】図４は、この発明になる名札類吊下用ケース組立体における分離型フック部材の一例をを示すものであって、ロックする直前の状態を示す概略的な斜視図である。
【図５】図５は、従来の軟質プラスチック製名札類吊下用ケースの典型的な例を示すものであって、図５Ａは、その概略的な正面図、図５Ｂは、その使用態様を示す概略的な斜視図、図５Ｃは、名札類を入れた状態を示す概略的な正面図、図５Ｄは、フック穴がちぎれた状態を示す概略的な正面図である。
【符号の説明】
【００２９】
１  名札類吊下用ケース組立体
２  軟質プラスチック製のケース本体
３  硬質プラスチック製のフック部材
３Ａ  折り畳み型フック部材
３Ｂ  分離型フック部材
４  名札類収容部
５  名札類収容部の上方部
６  フック部材取付部
７  防水ファスナー
Ｎｐ  名札類
８  名札類出し入れ開口
９  中央折り畳み部
１０  取付連結手段
１１、１１Ａ、１１Ｂ  第１片
１２、１２Ａ、１２Ｂ  第２片
１３、１３Ａ、１３Ｂ  フック穴
１４  ロック手段
１５  位置決め開口
１６  ボス
１７  ボス嵌入孔
Ｓｔ  ストラップ
Ｃ  クリップ
【図１】
0005036504.tif 000002
【図２】
0005036504.tif 000003
【図３】
0005036504.tif 000004
【図４】
0005036504.tif 000005
【図５】
0005036504.tif 000006